(57)【要約】移動局装置において異周波のレベル測定のために受信することができなかったＭＢＭＳサービスのパケットを現行のスケジューリング情報を用いて受信可能とするパケット送信装置。このパケット送信装置では、空区間検索部（１０２）は、スケジューリング情報から物理チャネル上に送出されるマルチキャスト送信フレームにおいてどのサービスと、どのサービスの間にどれだけの長さの空区間が存するかを検索する。再送パケット選択部（１０３）は、その空区間の直前のサービスで送信されるパケットの中から再送パケットを抽出する。パケット送信部（１０４）は、空区間を埋める再送を行うことができるようになる。【特許請求の範囲】
【請求項１】
上位装置から送られてくるサービス毎のパケットのスケジューリング内容を示すスケジューリング情報に基づき、前記サービス毎のパケットが時分割配置される次回のマルチキャスト送信フレームにおいてパケットの存在しない空区間を検索する空区間検索手段と、上位装置から送られてくる前記サービス毎のパケットであって前記空区間の直前のサービスに該当するパケットの中から前記空区間分のパケットを再送パケットとして選択する再送パケット選択手段と、各マルチキャスト送信フレームに、上位装置から送られてくる前記サービス毎のパケットと前記再送パケット選択手段が選択した再送パケットとを時分割配置するとともに、次フレームにおける前記サービス毎のパケットのスケジューリング内容を示すスケジューリング情報のパケットを配置し、各移動局装置に向けて送信するパケット送信手段と、を具備するパケット送信装置。
【請求項２】
前記再送パケット選択手段は、前記空区間の直前のサービスに該当するパケットの先頭から順に前記空区間分のパケットを再送パケットとして選択する請求項１記載のパケット送信装置。
【請求項３】
前記再送パケット選択手段は、マルチキャスト送信フレームにおける各パケットについて受信できなかった移動局装置数が前記上位装置から送られてくると、前記空区間の直前のサービスに該当するパケットにおいて受信できなかった移動局装置数の最も多いパケットを前記空区間分選択する請求項１記載のパケット送信装置。
【請求項４】
上位装置から送られてくるサービス毎のパケットのスケジューリング内容を示すスケジューリング情報に基づき、前記サービス毎のパケットが時分割配置される次回のマルチキャスト送信フレームにおいてパケットの存在しない空区間を検索する工程と、上位装置から送られてくる前記サービス毎のパケットであって前記空区間の直前のサービスに該当するパケットの中から前記空区間分のパケットを再送パケットとして選択する工程と、各マルチキャスト送信フレームに、上位装置から送られてくる前記サービス毎のパケットと前記再送パケットを選択する工程にて選択した再送パケットとを時分割配置するとともに、次フレームにおける前記サービス毎のパケットのスケジューリング内容を示すスケジューリング情報のパケットを配置し、各移動局装置に向けて送信する工程と、を具備するパケット送信方法。
【請求項５】
前記再送パケットを選択する工程では、前記空区間の直前のサービスに該当するパケットの先頭から順に前記空区間分のパケットを再送パケットとして選択する請求項４記載のパケット送信方法。
【請求項６】
前記再送パケットを選択する工程では、マルチキャスト送信フレームにおける各パケットについて受信できなかった移動局装置数が前記上位装置から送られてくると、前記空区間の直前のサービスに該当するパケットにおいて受信できなかった移動局装置数の最も多いパケットを前記空区間分選択する請求項４記載のパケット送信方法。
【発明の詳細な説明】
【技術分野】
【０００１】  本発明は、ＣＤＭＡ（Ｃｏｄｅ  Ｄｉｖｉｓｉｏｎ  Ｍｕｌｔｉ  Ａｃｃｅｓｓ）方式の通信システムにおける基地局が備えるパケット送信装置及びパケット送信方法に関し、特にＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ：マルチメディア同報・放送型通信）に関するパケットを送信するパケット送信装置及びパケット送信方法に関する。
【背景技術】
【０００２】  近年、第３世代携帯電話システムの標準化団体である３ＧＰＰでは、Ｗ−ＣＤＭＡ方式の通信システムにおいて、特定または不特定多数のユーザに対して同時にマルチメディアデータのサービスを行なうためのシステムの実現を目指して、ＭＢＭＳに関する標準化を行っている。以下に、図１と図２とを参照して非特許文献１に示されるＭＢＭＳサービスのパケット送信方法について説明する。【０００３】  図１は、従来のパケット送信装置の構成例を示す図である。図１に示すように、ＭＢＭＳのサービスシステムは、基地局装置であるパケット送信装置１１と上位装置である無線制御装置１２と移動局装置１３とで構成される。【０００４】  パケット送信装置１１は、パケット送信部１４を備えている。パケット送信部１４には、無線制御装置１３から、ＭＢＭＳサービス（図示例ではサービスＡ、サービスＢ、サービスＣの３つ）のパケット及びスケジューリング情報が並列に入力される。スケジューリング情報には、サービス毎のパケットのスケジューリング内容（各サービスのパケットを送信する際の順番、タイミング、送信する時間の長さなど）が記載されている。【０００５】  パケット送信部１４は、スケジューリング情報に基づき、マルチキャスト送信フレームに、データパケット（サービスＡ）、データパケット（サービスＢ）、データパケット（サービスＣ）を時分割配置し、またスケジューリング情報パケットを当該フレームの最終位置に配置し、物理チャネルを用いて移動局装置１３に向けて送信する。図２を参照して、具体的に説明する。【０００６】  図２は、従来のパケット送信方法を説明する図である。図２において、ＴＴＩ（Ｔｒａｎｓｍｉｓｓｉｏｎ  ｔｉｍｅ  ｉｎｔｅｒｖａｌ）は、１パケットを送信する時間間隔である。Ａ（Ａ１〜Ａ９）はＭＢＭＳサービスＡのパケットであり、Ｂ（Ｂ１〜Ｂ６）はＭＢＭＳサービスＢのパケットであり、Ｃ（Ｃ１，Ｃ２）はＭＢＭＳサービスＣのパケットであり、Ｓ（Ｓ１，Ｓ２，Ｓ３）はスケジューリング情報パケットである。【０００７】  図２では、３つのマルチキャスト送信フレーム（ａ）（ｂ）（ｃ）が示されているが、各マルチキャスト送信フレームは、１８ＴＴＩで構成され、先頭から１７番目のＴＴＩまでがデータパケットの配置用であり、最終の１ＴＴＩがスケジューリング情報パケットＳの配置用であるとしている。そして、これらは、図２に示す例で言えば、（ａ）（ｂ）（ｃ）の順に連続して物理チャネル上に送出される。【０００８】  要するに、ＭＢＭＳサービスのパケットを乗せる物理チャネル上では、スケジューリング情報パケットＳが、一定の間隔で（図２に示す例で言えば１８ＴＴＩに一回の割合で）送信される。このスケジューリング情報パケットＳには、次のスケジューリング情報パケットＳを送信するまでの１７ＴＴＩの区間において送信されるＭＢＭＳサービス毎の送信開始タイミングとその長さ（ＴＴＩ数）とが記載されている。【０００９】  図２のマルチキャスト送信フレーム（ａ）では、時刻Ｔ＝０〜時刻Ｔ＝１７までの１７ＴＴＩにはデータパケットが無く、最終位置にスケジューリング情報パケットＳ１が挿入されている。パケット送信部１４は、まず、スケジューリング���報を無線制御装置１２から受け取ると、その内容を移動局装置１３にスケジューリング情報パケットＳ１として通知する。【００１０】  スケジューリング情報パケットＳ１には、次のマルチキャスト送信フレーム（ｂ）において、例えば、時刻Ｔ＝１８から長さ６ＴＴＩの区間ではサービスＡのパケットＡ１〜Ａ６が送信され、時刻Ｔ＝２７から長さ３ＴＴＩの区間ではサービスＢのパケットＢ１〜Ｂ３が送信され、時刻Ｔ＝３２から長さ１ＴＴＩの区間ではサービスＣのパケットＣ１が送信されることが記載されている。【００１１】  そこで、パケット送信部１４は、スケジューリング情報パケットＳ１の内容を反映したマルチキャスト送信フレーム（ｂ）を生成して移動局装置１３に向けて送信する。即ち、このマルチキャスト送信フレームでは、時刻Ｔ＝１８から長さ６ＴＴＩの区間にサービスＡのパケットＡ１〜Ａ６が配置され、時刻Ｔ＝２７から長さ３ＴＴＩの区間にサービスＢのパケットＢ１〜Ｂ３が配置され、時刻Ｔ＝３２から長さ１ＴＴＩの区間にサービスＣのパケットＣ１が配置され、最終位置にスケジューリング情報パケットＳ２が挿入されている。【００１２】  ＭＢＭＳサービスＡ，Ｂ，Ｃのいずれかのサービスを受ける移動局装置１３は、マルチキャスト送信フレーム（ａ）のスケジューリング情報パケットＳ１を受信することで、引き続いて送られてくるマルチキャスト送信フレーム（ｂ）において受けたいサービスの開始タイミングとその長さ（ＴＴＩ数）とを知ることができるので、ユーザは受けたいサービスのパケットを受信することが可能となる。そして、移動局装置１３には、パケット送信装置１１毎にどのタイミングでスケジューリング情報パケットが送信されているかを予め既知情報として通知されているので、セル間を移動してもＭＢＭＳサービスのパケットを受信することができる。【００１３】  同様に、マルチキャスト送信フレーム（ｂ）で移動局装置１３に通知するスケジューリング情報パケットＳ２には、例えば、時刻Ｔ＝３６から長さ３ＴＴＩの区間ではサービスＡのパケットＡ７〜Ａ９が送信され、時刻Ｔ＝４１から長さ３ＴＴＩの区間ではサービスＢのパケットＢ４〜Ｂ６が送信され、時刻Ｔ＝５０から長さ１ＴＴＩの区間ではサービスＣのパケットＣ２が送信されることが記載されている。【００１４】  そして、パケット送信部１４は、スケジューリング情報パケットＳ２の内容を反映したマルチキャスト送信フレーム（ｃ）を生成して移動局装置１３に向けて送信する。即ち、このマルチキャスト送信フレームでは、時刻Ｔ＝３６から長さ３ＴＴＩの区間にサービスＡのパケットＡ７〜Ａ９が配置され、時刻Ｔ＝４１から長さ３ＴＴＩの区間にサービスＢのパケットＢ４〜Ｂ６が配置され、時刻Ｔ＝５０から長さ１ＴＴＩの区間にサービスＣのパケットＣ２が配置され、最終位置にスケジューリング情報パケットＳ３が挿入されている。以降、同様のマルチキャスト送信動作が繰り返される。
【非特許文献１】Ｒ２−０４０７５６（３ＧＰＰ  ＴＳＧ  ＲＡＮ２  ＭＢＭＳ  ａｄｈｏｃ  Ｂｕｄａｐｅｓｔ，Ｈｕｎｇａｒｙ，２０−２２  Ａｐｒｉｌ  ２００４）
【非特許文献２】３ＧＰＰ  ＴＳ  ２５．１３３  ８．４．２節
【発明の開示】
【発明が解決しようとする課題】
【００１５】  ところで、Ｗ−ＣＤＭＡ方式の通信システムでは、移動局装置は、ＭＢＭＳサービスの受信の有無に関わらず、ＲＲＣ（ｒａｄｉｏ  ｒｅｓｏｕｒｃｅ  ｃｏｎｔｒｏｌ）の状態に応じて定められた測定（ｍｅａｓｕｒｅｍｅｎｔ）を行う必要がある。ここで問題となる測定は、異周波のＷ−ＣＤＭＡ基地局、或いは、ＧＳＭ等他の周波数を使用している通信システムの基地局が近くに存在するか否かの異周波測定（ｉｎｔｅｒ  ｆｒｅｑｕｅｎｃｙ  ｍｅａｓｕｒｅｍｅｎｔ）である。この異周波測定の期間では、移動局装置は、他の周波数に発振器を合わせるので、ＭＢＭＳサービスのデータを受信することができない。【００１６】  例えば、非特許文献２では、ｃｅｌｌ  ＦＡＣＨ状態のＦＤＤの移動局装置でＧＳＭ，ＴＤＤ双方の受信に対応した移動局装置では、Ｔｍｅａｓ  ｍｓ内に、ＦＤＤ  ｉｎｔｅｒ  ｆｒｅｑｕｅｎｃｙ  ｍｅａｓｕｒｅｍｅｎｔ，ＴＤＤ  ｍｅａｓｕｒｅｍｅｎｔ，ＧＳＭ  ｍｅａｓｕｒｅｍｅｎｔを、ＮＴＴＩ×Ｍ＿ＲＥＰ×１０ｍｓの間隔で実行しなければならないと規定されている。【００１７】  なお、ＮＴＴＩは、移動局装置がモニターしているＳＣＣＰＣＨ（物理チャネル）の中で最も長いＴＴＩのフレーム数である。また、Ｍ＿ＲＥＰは上位から指定される異周波のレベル測定実行サイクル（ｍｅａｓｕｒｅｍｅｎｔ  ｏｃｃａｓｉｏｎ  ｃｙｃｌｅ）長であり、このサイクルで移動局装置は、ＦＤＤ  ｉｎｔｅｒ  ｆｒｅｑｕｅｎｃｙ  ｍｅａｓｕｒｅｍｅｎｔ，ＴＤＤ  ｍｅａｓｕｒｅｍｅｎｔ，ＧＳＭ  ｍｅａｓｕｒｅｍｅｎｔのいずれかを実行することとなる。【００１８】  したがって、移動局装置は、これらの異周波レベルの測定を行うタイミングとＭＢＭＳサービスのパケットを受信するタイミングとが重なった場合には、ＭＢＭＳサービスのデータを受信することができない。【００１９】  本発明の目的は、移動局装置において異周波のレベル測定のために受信することができなかったＭＢＭＳサービスのパケットを現行のスケジューリング情報を用いて受信可能とするパケット送信装置及びパケット送信方法を提供することである。
【課題を解決するための手段】
【００２０】  本発明に係るパケット送信装置は、上位装置から送られてくるサービス毎のパケットのスケジューリング内容を示すスケジューリング情報に基づき前記サービス毎のパケットが時分割配置される次回のマルチキャスト送信フレームにおいてパケットの存在しない空区間を検索する空区間検索手段と、上位装置から送られてくる前記サービス毎のパケットであって前記空区間の直前のサービスに該当するパケットの中から前記空区間分のパケットを再送パケットとして選択する再送パケット選択手段と、各マルチキャスト送信フレームに、上位装置から送られてくる前記サービス毎のパケットと前記再送パケット選択手段が選択した再送パケットとを時分割配置するとともに、次フレームにおける前記サービス毎のパケットのスケジューリング内容を示すスケジューリング情報のパケットを配置し、各移動局装置に向けて送信するパケット送信手段とを具備する構成を採る。【００２１】  本発明に係るパケット送信方法は、上位装置から送られてくるサービス毎のパケットのスケジューリング内容を示すスケジューリング情報に基づき、前記サービス毎のパケットが時分割配置される次回のマルチキャスト送信フレームにおいてパケットの存在しない空区間を検索する工程と、上位装置から送られてくる前記サービス毎のパケットであって前記空区間の直前のサービスに該当するパケットの中から前記空区間分のパケットを再送パケットとして選択する工程と、各マルチキャスト送信フレームに、上位装置から送られてくる前記サービス毎のパケットと前記再送パケットを選択する工程にて選択した再送パケットとを時分割配置するとともに、次フレームにおける前記サービス毎のパケットのスケジューリング内容を示すスケジューリング情報のパケットを配置し、各移動局装置に向けて送信する工程と、を具備する方法をとる。
【発明の効果】
【００２２】  本発明によれば、現行のスケジューリング情報に基づき、異なるサービス間に空区間があるか否かを検出し、空区間がある場合には、その空区間の直前に送信されたサービスのパケットの一部を再送することにより、移動局装置において異周波のレベル測定のために受信することができなかったＭＢＭＳサービスのパケットを現行のスケジューリング情報を用いて受信可能とすることができる。
【図面の簡単な説明】
【００２３】
【図１】従来のパケット送信装置の構成例を示す図
【図２】従来のパケット送信方法を説明する図
【図３】本発明の実施の形態１に係るパケット送信装置の構成を示すブロック図
【図４】図３に示すパケット送信装置が実施するパケットの送信方法を説明する図
【図５】図３に示すパケット送信装置が実施するパケットの送信方法を説明する図
【図６】本発明の実施の形態２に係るパケット送信装置及び無線制御装置の構成を示すブロック図
【図７】図６に示す無線制御装置が実施する移動局装置のカウント方法を説明する図
【図８】図６に示すパケット送信装置が実施するパケットの送信方法を説明する図
【発明を実施するための最良の形態】
【００２４】  以下、本発明の実施の形態について図面を参照して詳細に説明する。【００２５】  （実施の形態１）
図３は本発明の実施の形態１に係るパケット送信装置の構成を示すブロック図である。図３では、従来例（図１）に示したＭＢＭＳサービスシステムにおいて、パケット送信装置１１に代えて、本実施の形態１に係るパケット送信装置１０１が設けられている。図３に示すように、本実施の形態１に係るパケット送信装置１０１は、空区間検索部１０２と、再送パケット選択部１０３と、パケット送信部１０４とを備えている。【００２６】  無線制御装置１２が送信するスケジューリング情報は空区間検索部１０２とパケット送信部１０４とに入力される。また、無線制御装置１２が送信する各サービスのパケットは再送パケット選択部１０３とパケット送信部１０４とに入力される。【００２７】  空区間検索部１０２は、無線制御装置１２から受け取るスケジューリング情報に基づき、次回のマルチキャスト送信フレームにおける各サービス間にパケットが存在しない空区間の有無を検索し、存在する場合はその空区間の長さ（ＴＴＩ数）を再送パケット選択部１０３に通知する。【００２８】  再送パケット選択部１０３は、空区間検索部１０２から検索結果を受け取ると、無線制御装置１２から入力する各サービス（図３ではサービスＡ，サービスＢ，サービスＣの３つ）のパケットの中から検索結果が示す空区間の直前のサービスに該当するパケットの一部を再送パケットとして選択し、それをパケット送信部１０４に通知する。この再送パケットの選択方法には、図４に示す方法と図５に示す方法との２通りがある。【００２９】  パケット送信部１０４は、無線制御装置１２からスケジューリング情報と各サービス（図３ではサービスＡ，サービスＢ，サービスＣの３つ）のパケットとを受け取ると、従来と同様に、スケジューリング情報に基づき、物理チャネル上に送出する各マルチキャスト送信フレームに、データパケット（サービスＡ）、データパケット（サービスＢ）、データパケット（サービスＣ）を時分割配置し、またスケジューリング情報パケットを最終位置に挿入し、移動局装置１３に向けて送信する。【００３０】  その際に、本実施の形態１では、パケット送信部１０４は、各マルチキャスト送信フレームに、再送パケット選択部１０３から通知された空区間分の再送パケットを挿入することを行う。【００３１】  以下、図３〜図５を参照して、本実施の形態１に係るパケット送信装置の動作について説明する。まず、図４は、図３に示すパケット送信装置が実施するパケットの送信方法を説明する図（その１）である。【００３２】  図２にて説明したように、スケジューリング情報Ｓ１には、時刻Ｔ＝１８から長さ６ＴＴＩの区間ではサービスＡのパケットＡ１〜Ａ６が送信され、時刻Ｔ＝２７から長さ３ＴＴＩの区間ではサービスＢのパケットＢ１〜Ｂ３が送信され、時刻Ｔ＝３２から長さ１ＴＴＩの区間ではサービスＣのパケットＣ１が送信されることが記載されている。【００３３】  図４に示すように、このスケジューリング情報Ｓ１を反映したマルチキャスト送信フレーム（ａ）では、時刻Ｔ＝２４から３ＴＴＩの区間（空区間１）と、時刻Ｔ＝３０から２ＴＴＩの区間（空区間２）と、時刻Ｔ＝３３から２ＴＴＩの区間（空区間３）とに空区間があることが解る。【００３４】  そこで、空区間検索部１０２は、無線制御装置１２からスケジューリング情報Ｓ１を受け取ると、図４に示すように、このスケジューリング情報Ｓ１を反映したマルチキャスト送信フレーム（ａ）に存在する空区間１，空区間２，空区間３を検索し、再送パケット選択部１０３に対し、サービスＡのパケットを３ＴＴＩ分、サービスＢのパケットを２ＴＴＩ分、サービスＣのパケットを２ＴＴＩ分追加して送信できることを通知する。【００３５】  再送パケット選択部１０３は、空区間検索部１０２から通知された空区間を埋める分のパケットを無線制御装置１２から受け取った各サービスのパケットの中から無作為に選択し、選択したパケット番号をパケット送信部１０４に通知する。図４に示す例で言えば、サービスＡにおいては３番、４番、６番のパケットを選択し、サービスＢについては２番、３番のパケットを選択し、サービスＣについては最初から１ＴＴＩ分のデータのみが存在しているので１番のパケットを２回繰り返すように選択し、それぞれをパケット送信部１０４に通知する。【００３６】  パケット送信部１０４は、前記スケジューリング情報Ｓ１に基づき、図４に示すように、時刻Ｔ＝１８からサービスＡに関するパケットを６ＴＴＩ分順に配置し、続いて、３番、４番、６番の各パケットを配置することで空区間１を埋める。同様に、サービスＢについては、時刻Ｔ＝２７から３ＴＴＩ分のパケットを配置し、続いて２番、３番、の各パケットを配置することで空区間２を埋める。同様に、サービスＣについては、Ｔ＝３２で１ＴＴＩ分のパケットを配置し終わると、続けて１番のパケットを２度連続して配置を行い、空区間３を埋める。このように、１７ＴＴＩの区間が全てパケットで埋め尽くされたマルチキャスト送信フレーム（ｂ）が物理チャネル上に送出される。【００３７】  一方、移動局装置１３では、各サービスの開始タイミングとその長さ（ＴＴＩ数）をスケジューリング情報パケットから知ることができるので、どのサービスがどれだけの長さの分だけ再送されてくるかを、パケット送信装置が改めて通知しなくとも、移動局装置側で予め知ることができる。【００３８】  したがって、図４に示すように、スケジューリング情報から物理チャネル上に送出されるマルチキャスト送信フレームにおいてどのサービスと、どのサービスの間にどれだけの長さの空区間が存するかを検索し、その空区間の直前のサービスで送信されるパケットの中から再送パケットを抽出し、空区間を埋める再送を行うので、移動局装置において、１回目のパケット送信では異周波のレベル測定のタイミングと重なったために受信できなかったパケットが再送された場合には、補完することができることになり、移動局装置のスループットを改善することができる。【００３９】  次に、図５は、図３に示すパケット送信装置が実施するパケットの送信方法を説明する図（その２）である。図５は、図４に対して、マルチキャスト送信フレーム（ｂ）の再送パケットの選択方法が異なる。即ち、図４では、再送パケット選択部１０３は再送するパケットを無作為に抽出するとしたが、図５では、再送パケット選択部１０３は、空区間検索部１０２から通知されたＴＴＩ分のパケットを常に再送するサービスの先��から順に選択する。【００４０】  その結果、図５に示すように、パケット送信部１０４は、前記スケジューリング情報Ｓ１に基づき、時刻Ｔ＝１８からサービスＡに関するパケットを６ＴＴＩ分順に送信し、続いて、１番、２番、３番の各パケットを再送することで空区間１を埋める。同様に、サービスＢについては、時刻Ｔ＝２７から３ＴＴＩ分のパケットを送信し、続いて１番、２番、の各パケットを再送することで空区間２を埋める。同様に、サービスＣについては、Ｔ＝３２で１ＴＴＩ分のパケットを送信し終わると、続けて１番のパケットを２度連続して再送を行い、空区間３を埋めることになる。このように、１７ＴＴＩの区間が全てパケットで埋め尽くされたマルチキャスト送信フレーム（ｂ）が物理チャネル上に送出される。【００４１】  このように、先頭から順に再送を行う方法によれば、例えば、サービスＡを受信している移動局装置が異周波のレベル測定によって、Ａ１、Ａ２、Ａ３のいずれかのパケットが欠落した場合には、再送されたパケットにて欠落したパケットを補完することができる一方、既にＡ１，Ａ２，Ａ３のパケットを誤り無く受信し終わっている移動局装置では、再送されてくるパケットを受信しなくても良いと判断することが可能となるので、消費電力を削減することができる。【００４２】  また、パケット送信装置から改めて通知することなく、移動局装置において、Ａ１、Ａ２、Ａ３が再送されることが予め分かるので、一回目に送信されたＡ１からＡ３までのパケットを移動局装置内に保持しておき、再送されたパケットと合成した後に復調、或いは復号を行うことも可能となるためパケット誤り率の低減が可能となる。【００４３】  （実施の形態２）
図６は、本発明の実施の形態２に係るパケット送信装置及び無線制御装置の構成を示すブロック図である。なお、図６では、図３に示した構成要素と同一ないしは同等である構成要素には同一の符号が付されている。ここでは、本実施の形態２に関わる部分を中心に説明する。【００４４】  図６に示すように、本実施の形態２では、図３（実施の形態１）と比較して、パケット送信装置１０１に代えてパケット送信装置４０１が設けられ、また無線制御装置１２に代えて無線制御装置４０２が設けられている。【００４５】  パケット送信装置４０１では、図３（実施の形態１）に示した構成において、再送パケット選択部１０３に代えて、再送パケット選択部４０３が設けられている。また、無線制御装置４０２では、受信不可移動局装置数カウント部４０４が追加されている。【００４６】  受信不可移動局装置数カウント部４０４は、パケット送信装置４０１毎にＭＢＭＳのサービスを受信する各移動局装置のパケット受信タイミングと異周波のレベル測定実行（ｍｅａｓｕｒｅｍｅｎｔ  ｏｃｃａｓｉｏｎ）のタイミングとが重なっているか否かを判断し、パケット毎に、重なった移動局装置数をカウントし、そのカウントしたパケット単位受信不可移動局装置数を再送パケット選択部４０３に与える。【００４７】  再送パケット選択部４０３は、受信不可移動局装置数カウント部４０４からパケット単位受信不可移動局装置数を受け取ると、空区間検索部１０２から通知された空区間を埋める分のパケットを無線制御装置４０２から受け取った各サービスのパケットの中から受信不可移動局装置数が最も多いパケットを選択する。【００４８】  以下、図６〜図８を参照して、本実施の形態２に係るパケット送信装置の動作について説明する。まず、図７は、図６に示す無線制御装置が実施する移動局装置のカウント方法を説明する図である。【００４９】  図７では、１つのパケット送信装置において、サービスＡを受ける移動局装置がＮ個、サービスＢを受ける移動局装置がＭ個、サービスＣを受けている移動局装置がＪ個存在することが示されている。【００５０】  受信不可移動局装置数カウント部４０４は、始めにサービスＡを受信するＮ個の移動局装置各々について、異周波のレベル測定実行（ｍｅａｓｕｒｅｍｅｎｔ  ｏｃｃａｓｉｏｎ）の場所を求め、サービスＡのパケット送信区間と重なる移動局装置が何個存在するかをカウントする。図７に示す例では、Ａ１のパケット送信区間と異周波のレベル測定実行場所とが重なる移動局装置が５個、Ａ２と重なる移動局装置が１５個、Ａ３が３個、Ａ４が８個、Ａ５が２個、Ａ６が９個存在したことが示されている。【００５１】  同様に、図７では、サービスＢについては、Ｂ１と重なる移動局装置の数が９個、Ｂ２が１個、Ｂ３が１４個存在し、サービスＣについては、Ｃ１と重なる移動局装置の数が９個存在していることが示されている。これらの結果が再送パケット選択部４０３に通知される。【００５２】  次に、図８は、図６に示すパケット送信装置が実施するパケットの送信方法を説明する図である。図８では、再送パケット選択部４０３に、実施の形態１にて説明したサービス毎の再送可能ＴＴＩ数（空区間１，２，３）が空区間検索部１０２��ら通知されるのに加えて、受信不可移動局装置数カウント部４０４からパケット毎の受信不可移動局装置数が通知されることが示されている。【００５３】  再送パケット選択部４０３では、空区間検索部１０２から通知されたサービス毎の再送可能ＴＴＩ数と、受信不可移動局装置数カウント部４０４から通知された結果とを元に、各サービスにおいて最も受け取れなかったと想定される移動局装置の数が多かったパケットを再送用パケットとして選択する。【００５４】  即ち、図８において、再送パケット選択部４０３は、サービスＡについては、３ＴＴＩ分の空区間が存在することから、Ａ２番，Ａ４番，Ａ６番を再送パケットとして選択し、パケット送信部１０４に通知する。同様に、サービスＢについては、２ＴＴＩ分の空区間が存在するので、Ｂ１番とＢ３番を選択してパケット送信部１０４に通知する。サービスＣについては、元々１つであるので、実施の形態１と同様となる。【００５５】  パケット送信部１０４が送信する再送パケットの順番は、任意であり、受信不可移動局装置数が多い順番である必要はないが、図８では、受信不可移動局装置数の多い順にパケットを送信することとして示してある。【００５６】  即ち、パケット送信部１０４は、図８に示すように、サービスＡについては、Ａ２番、Ａ６番，Ａ４番の順に再送し、サービスＢについては、Ｂ３番、Ｂ１番の順に再送する。このように、１７ＴＴＩの区間が全てパケットで埋め尽くされたマルチキャスト送信フレーム（ｂ）が物理チャネル上に送出される。【００５７】  このように、本実施の形態２によれば、無線制御装置にてパケット送信装置毎に、ＭＢＭＳのサービスを受けている移動局装置各々の異周波レベル測定実行のタイミングがＭＢＭＳの受信パケットと重なっているか否かを判断し、各ＭＢＭＳパケットについて、どれだけの移動局装置が受信することが不可能であったかをパケット送信装置に通知するようにしたので、パケット送信装置においては、空区間において、通知されたカウント数が多かったパケットから優先して再送を実行することができる。したがって、異周波のレベル測定によって受信できなかった移動局装置をより多く救うことが可能となる。【００５８】  本明細書は、２００５年１月１９日出願の特願２００５−０１１９６４に基づく。この内容は全てここに含めておく。
【産業上の利用可能性】
【００５９】  本発明は、移動局装置において異周波のレベル測定のために受信することができなかったＭＢＭＳサービスのパケットを現行のスケジューリング情報を用いて受信可能とするパケット送信装置及びパケット送信として有用である。
【図１】
2006077792.tif 000002
【図２】
2006077792.tif 000003
【図３】
2006077792.tif 000004
【図４】
2006077792.tif 000005
【図５】
2006077792.tif 000006
【図６】
2006077792.tif 000007
【図７】
2006077792.tif 000008
【図８】
2006077792.tif 000009
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
上位装置から送られてくるサービス毎のパケットのスケジューリング内容を示すスケジューリング情報に基づき、前記サービス毎のパケットが時分割配置される次回のマルチキャスト送信フレームにおいてパケットの存在しない空区間を検索する空区間検索手段と、上位装置から送られてくる前記サービス毎のパケットであって前記空区間の直前のサービスに該当するパケットの中から前記空区間分のパケットを再送パケットとして選択する再送パケット選択手段と、各マルチキャスト送信フレームに、上位装置から送られてくる前記サービス毎のパケットと前記再送パケット選択手段が選択した再送パケットとを時分割配置するとともに、次フレームにおける前記サービス毎のパケットのスケジューリング内容を示すスケジューリング情報のパケットを配置し、各移動局装置に向けて送信するパケット送信手段と、を具備するパケット送信装置。
【請求項２】
前記再送パケット選択手段は、前記空区間の直前のサービスに該当するパケットの先頭から順に前記空区間分のパケットを再送パケットとして選択する請求項１記載のパケット送信装置。
【請求項３】
前記再送パケット選択手段は、マルチキャスト送信フレームにおける各パケットについて受信できなかった移動局装置数が前記上位装置から送られてくると、前記空区間の直前のサービスに該当するパケットにおいて受信できなかった移動局装置数の最も多いパケットを前記空区間分選択する請求項１記載のパケット送信装置。
【請求項４】
上位装置から送られてくるサービス毎のパケットのスケジューリング内容を示すスケジューリング情報に基づき、前記サービス毎のパケットが時分割配置される次回のマルチキャスト送信フレームにおいてパケットの存在しない空区間を検索する工程と、上位装置から送られてくる前記サービス毎のパケットであって前記空区間の直前のサービスに該当するパケットの中から前記空区間分のパケットを再送パケットとして選択する工程と、各マルチキャスト送信フレームに、上位装置から送られてくる前記サービス毎のパケットと前記再送パケットを選択する工程にて選択した再送パケットとを時分割配置するとともに、次フレームにおける前記サービス毎のパケットのスケジューリング内容を示すスケジューリング情報のパケットを配置し、各移動局装置に向けて送信する工程と、を具備するパケット送信方法。
【請求項５】
前記再送パケットを選択する工程では、前記空区間の直前のサービスに該当するパケットの先頭から順に前記空区間分のパケットを再送パケットとして選択する請求項４記載のパケット送信方法。
【請求項６】
前記再送パケットを選択する工程では、マルチキャスト送信フレームにおける各パケットについて受信できなかった移動局装置数が前記上位装置から送られてくると、前記空区間の直前のサービスに該当するパケットにおいて受信できなかった移動局装置数の最も多いパケットを前記空区間分選択する請求項４記載のパケット送信方法。
【手続補正２】
【補正対象書類名】明細書
【補正対象項目名】全文
【補正方法】変更
【補正の内容】
【発明の詳細な説明】
【技術分野】
【０００１】
本発明は、ＣＤＭＡ（Code Division Multi Access）方式の通信システムにおける基地局が備えるパケット送信装置及びパケット送信方法に関し、特にＭＢＭＳ(Multimedia Broadcast/Multicast Service：マルチメディア同報・放送型通信)に関するパケットを送信するパケット送信装置及びパケット送信方法に関する。
【背景技術】
【０００２】
近年、第３世代携帯電話システムの標準化団体である３ＧＰＰでは、Ｗ−ＣＤＭＡ方式の通信システムにおいて、特定または不特定多数のユーザに対して同時にマルチメディアデータのサービスを行なうためのシステムの実現を目指して、ＭＢＭＳに関する標準化を行っている。以下に、図１と図２とを参照して非特許文献１に示されるＭＢＭＳサービスのパケット送信方法について説明する。
【０００３】
図１は、従来のパケット送信装置の構成例を示す図である。図１に示すように、ＭＢＭＳのサービスシステムは、基地局装置であるパケット送信装置１１と上位装置である無線制御装置１２と移動局装置１３とで構成される。
【０００４】
パケット送信装置１１は、パケット送信部１４を備えている。パケット送信部１４には、無線制御装置１３から、ＭＢＭＳサービス（図示例ではサービスＡ、サービスＢ、サービスＣの３つ）のパケット及びスケジューリング情報が並列に入力される。スケジューリング情報には、サービス毎のパケットのスケジューリング内容（各サービスのパケットを送信する際の順番、タイミング、送信する時間の長さなど）が記載されている。
【０００５】
パケット送信部１４は、スケジューリング情報に基づき、マルチキャスト送信フレームに、データパケット（サービスＡ）、データパケット（サービスＢ）、データパケット（サービスＣ）を時分割配置し、またスケジューリング情報パケットを当該フレームの最終位置に配置し、物理チャネルを用いて移動局装置１３に向けて送信する。図２を参照して、具体的に説明する。
【０００６】
図２は、従来のパケット送信方法を説明する図である。図２において、ＴＴＩ(Transmission time interval)は、１パケットを送信する時間間隔である。Ａ（Ａ１〜Ａ９）はＭＢＭＳサービスＡのパケットであり、Ｂ（Ｂ１〜Ｂ６）はＭＢＭＳサービスＢのパケットであり、Ｃ（Ｃ１，Ｃ２）はＭＢＭＳサービスＣのパケットであり、Ｓ（Ｓ１，Ｓ２，Ｓ３）はスケジューリング情報パケットである。
【０００７】
図２では、３つのマルチキャスト送信フレーム（ａ）（ｂ）（ｃ）が示されているが、各マルチキャスト送信フレームは、１８ＴＴＩで構成され、先頭から１７番目のＴＴＩまでがデータパケットの配置用であり、最終の１ＴＴＩがスケジューリング情報パケットＳの配置用であるとしている。そして、これらは、図２に示す例で言えば、（ａ）（ｂ）（ｃ）の順に連続して物理チャネル上に送出される。
【０００８】
要するに、ＭＢＭＳサービスのパケットを乗せる物理チャネル上では、スケジューリング情報パケットＳが、一定の間隔で（図２に示す例で言えば１８ＴＴＩに一回の割合で）送信される。このスケジューリング情報パケットＳには、次のスケジューリング情報パケットＳを送信するまでの１７ＴＴＩの区間において送信されるＭＢＭＳサービス毎の送信開始タイミングとその長さ（ＴＴＩ数）とが記載されている。
【０００９】
図２のマルチキャスト送信フレーム（ａ）では、時刻Ｔ＝０〜時刻Ｔ＝１７までの１７ＴＴＩにはデータパケットが無く、最終位置にスケジューリング情報パケットＳ１が挿入されている。パケット送信部１４は、まず、スケジューリング情報を無線制御装置１２から受け取ると、その内容を移動局装置１３にスケジューリング情報パケットＳ１として通知する。
【００１０】
スケジューリング情報パケットＳ１には、次のマルチキャスト送信フレーム（ｂ）において、例えば、時刻Ｔ＝１８から長さ６ＴＴＩの区間ではサービスＡのパケットＡ１〜Ａ６が送信され、時刻Ｔ＝２７から長さ３ＴＴＩの区間ではサービスＢのパケットＢ１〜Ｂ３が送信され、時刻Ｔ＝３２から長さ１ＴＴＩの区間ではサービスＣのパケットＣ１が送信されることが記載されている。
【００１１】
そこで、パケット送信部１４は、スケジューリング情報パケットＳ１の内容を反映したマルチキャスト送信フレーム（ｂ）を生成して移動局装置１３に向けて送信する。即ち、このマルチキャスト送信フレームでは、時刻Ｔ＝１８から長さ６ＴＴＩの区間にサービスＡのパケットＡ１〜Ａ６が配置され、時刻Ｔ＝２７から長さ３ＴＴＩの区間にサービスＢのパケットＢ１〜Ｂ３が配置され、時刻Ｔ＝３２から長さ１ＴＴＩの区間にサービスＣのパケットＣ１が配置され、最終位置にスケジューリング情報パケットＳ２が挿入されている。
【００１２】
ＭＢＭＳサービスＡ，Ｂ，Ｃのいずれかのサービスを受ける移動局装置１３は、マルチキャスト送信フレーム（ａ）のスケジューリング情報パケットＳ１を受信することで、引き続いて送られてくるマルチキャスト送信フレーム（ｂ）において受けたいサービスの開始タイミングとその長さ（ＴＴＩ数）とを知ることができるので、ユーザは受けたいサービスのパケットを受信することが可能となる。そして、移動局装置１３には、パケット送信装置１１毎にどのタイミングでスケジューリング情報パケットが送信されているかを予め既知情報として通知されているので、セル間を移動してもＭＢＭＳサービスのパケットを受信することができる。
【００１３】
同様に、マルチキャスト送信フレーム（ｂ）で移動局装置１３に通知するスケジューリング情報パケットＳ２には、例えば、時刻Ｔ＝３６から長さ３ＴＴＩの区間ではサービスＡのパケットＡ７〜Ａ９が送信され、時刻Ｔ＝４１から長さ３ＴＴＩの区間ではサービスＢのパケットＢ４〜Ｂ６が送信され、時刻Ｔ＝５０から長さ１ＴＴＩの区間ではサービスＣのパケットＣ２が送信されることが記載されている。
【００１４】
そして、パケット送信部１４は、スケジューリング情報パケットＳ２の内容を反映したマルチキャスト送信フレーム（ｃ）を生成して移動局装置１３に向けて送信する。即ち、このマルチキャスト送信フレームでは、時刻Ｔ＝３６から長さ３ＴＴＩの区間にサービスＡのパケットＡ７〜Ａ９が配置され、時刻Ｔ＝４１から長さ３ＴＴＩの区間にサービスＢのパケットＢ４〜Ｂ６が配置され、時刻Ｔ＝５０から長さ１ＴＴＩの区間にサービスＣのパケットＣ２が配置され、最終位置にスケジューリング情報パケットＳ３が挿入されている。以降、同様のマルチキャスト送信動作が繰り返される。
【非特許文献１】Ｒ２−０４０７５６（３ＧＰＰ  ＴＳＧ  ＲＡＮ２  ＭＢＭＳ  ａｄｈｏｃ  Ｂｕｄａｐｅｓｔ，Ｈｕｎｇａｒｙ，２０−２２  Ａｐｒｉｌ  ２００４）
【非特許文献２】３ＧＰＰ  ＴＳ  ２５．１３３  ８．４．２節
【発明の開示】
【発明が解決しようとする課題】
【００１５】
ところで、Ｗ−ＣＤＭＡ方式の通信システムでは、移動局装置は、ＭＢＭＳサービスの受信の有無に関わらず、ＲＲＣ（radio resource control）の状態に応じて定められた測定（measurement）を行う必要がある。ここで問題となる測定は、異周波のＷ−ＣＤＭＡ基地局、或いは、ＧＳＭ等他の周波数を使用している通信システムの基地局が近くに存在するか否かの異周波測定（inter frequency measurement）である。この異周波測定の期間では、移動局装置は、他の周波数に発振器を合わせるので、ＭＢＭＳサービスのデータを受信することができない。
【００１６】
例えば、非特許文献２では、cell FACH状態のＦＤＤの移動局装置でＧＳＭ，ＴＤＤ双方の受信に対応した移動局装置では、Tmeas ms 内に、FDD inter frequency measurement, TDD measurement, GSM measurementを、NTTI×M_REP×10ms の間隔で実行しなければならないと規定されている。
【００１７】
なお、NTTIは、移動局装置がモニターしているSCCPCH（物理チャネル）の中で最も長いＴＴＩのフレーム数である。また、M_REPは上位から指定される異周波のレベル測定実行サイクル（measurement occasion cycle）長であり、このサイクルで移動局装置は、FDD inter frequency measurement, TDD measurement, GSM measurementのいずれかを実行することとなる。
【００１８】
したがって、移動局装置は、これらの異周波レベルの測定を行うタイミングとＭＢＭＳサービスのパケットを受信するタイミングとが重なった場合には、ＭＢＭＳサービスのデータを受信することができない。
【００１９】
本発明の目的は、移動局装置において異周波のレベル測定のために受信することができなかったＭＢＭＳサービスのパケットを現行のスケジューリング情報を用いて受信可能とするパケット送信装置及びパケット送信方法を提供することである。
【課題を解決するための手段】
【００２０】
本発明に係るパケット送信装置は、上位装置から送られてくるサービス毎のパケットのスケジューリング内容を示すスケジューリング情報に基づき前記サービス毎のパケットが時分割配置される次回のマルチキャスト送信フレームにおいてパケットの存在しない空区間を検索する空区間検索手段と、上位装置から送られてくる前記サービス毎のパケットであって前記空区間の直前のサービスに該当するパケットの中から前記空区間分のパケットを再送パケットとして選択する再送パケット選択手段と、各マルチキャスト送信フレームに、上位装置から送られてくる前記サービス毎のパケットと前記再送パケット選択手段が選択した再送パケットとを時分割配置するとともに、次フレームにおける前記サービス毎のパケットのスケジューリング内容を示すスケジューリング情報のパケットを配置し、各移動局装置に向けて送信するパケット送信手段とを具備する構成を採る。
【００２１】
本発明に係るパケット送信方法は、上位装置から送られてくるサービス毎のパケットのスケジューリング内容を示すスケジューリング情報に基づき、前記サービス毎のパケットが時分割配置される次回のマルチキャスト送信フレームにおいてパケットの存在しない空区間を検索する工程と、上位装置から送られてくる前記サービス毎のパケットであって前記空区間の直前のサービスに該当するパケットの中から前記空区間分のパケットを再送パケットとして選択する工程と、各マルチキャスト送信フレームに、上位装置から送られてくる前記サービス毎のパケットと前記再送パケットを選択する工程にて選択した再送パケットとを時分割配置するとともに、次フレームにおける前記サービス毎のパケットのスケジューリング内容を示すスケジューリング情報のパケットを配置し、各移動局装置に向けて送信する工程と、を具備する方法をとる。
【発明の効果】
【００２２】
本発明によれば、現行のスケジューリング情報に基づき、異なるサービス間に空区間があるか否かを検出し、空区間がある場合には、その空区間の直前に送信されたサービスのパケットの一部を再送することにより、移動局装置において異周波のレベル測定のために受信することができなかったＭＢＭＳサービスのパケットを現行のスケジューリング情報を用いて受信可能とすることができる。
【発明を実施するための最良の形態】
【００２３】
以下、本発明の実施の形態について図面を参照して詳細に説明する。
【００２４】
（実施の形態１）
図３は本発明の実施の形態１に係るパケット送信装置の構成を示すブロック図である。図３では、従来例（図１）に示したＭＢＭＳサービスシステムにおいて、パケット送信装置１１に代えて、本実施の形態１に係るパケット送信装置１０１が設けられている。図３に示すように、本実施の形態１に係るパケット送信装置１０１は、空区間検索部１０２と、再送パケット選択部１０３と、パケット送信部１０４とを備えている。
【００２５】
無線制御装置１２が送信するスケジューリング情報は空区間検索部１０２とパケット送信部１０４とに入力される。また、無線制御装置１２が送信する各サービスのパケットは再送パケット選択部１０３とパケット送信部１０４とに入力される。
【００２６】
空区間検索部１０２は、無線制御装置１２から受け取るスケジューリング情報に基づき、次回のマルチキャスト送信フレームにおける各サービス間にパケットが存在しない空区間の有無を検索し、存在する場合はその空区間の長さ（ＴＴＩ数）を再送パケット選択部１０３に通知する。
【００２７】
再送パケット選択部１０３は、空区間検索部１０２から検索結果を受け取ると、無線制御装置１２から入力する各サービス（図３ではサービスＡ，サービスＢ，サービスＣの３つ）のパケットの中から検索結果が示す空区間の直前のサービスに該当するパケットの一部を再送パケットとして選択し、それをパケット送信部１０４に通知する。この再送パケットの選択方法には、図４に示す方法と図５に示す方法との２通りがある。
【００２８】
パケット送信部１０４は、無線制御装置１２からスケジューリング情報と各サービス（図３ではサービスＡ，サービスＢ，サービスＣの３つ）のパケットとを受け取ると、従来と同様に、スケジューリング情報に基づき、物理チャネル上に送出する各マルチキャスト送信フレームに、データパケット（サービスＡ）、データパケット（サービスＢ）、データパケット（サービスＣ）を時分割配置し、またスケジューリング情報パケットを最終位置に挿入し、移動局装置１３に向けて送信する。
【００２９】
その際に、本実施の形態１では、パケット送信部１０４は、各マルチキャスト送信フレームに、再送パケット選択部１０３から通知された空区間分の再送パケットを挿入することを行う。
【００３０】
以下、図３〜図５を参照して、本実施の形態１に係るパケット送信装置の動作について説明する。まず、図４は、図３に示すパケット送信装置が実施するパケットの送信方法を説明する図（その１）である。
【００３１】
図２にて説明したように、スケジューリング情報Ｓ１には、時刻Ｔ＝１８から長さ６ＴＴＩの区間ではサービスＡのパケットＡ１〜Ａ６が送信され、時刻Ｔ＝２７から長さ３ＴＴＩの区間ではサービスＢのパケットＢ１〜Ｂ３が送信され、時刻Ｔ＝３２から長さ１ＴＴＩの区間ではサービスＣのパケットＣ１が送信されることが記載されている。
【００３２】
図４に示すように、このスケジューリング情報Ｓ１を反映したマルチキャスト送信フレーム（ａ）では、時刻Ｔ＝２４から３ＴＴＩの区間（空区間１）と、時刻Ｔ＝３０から２ＴＴＩの区間（空区間２）と、時刻Ｔ＝３３から２ＴＴＩの区間（空区間３）とに空区間があることが解る。
【００３３】
そこで、空区間検索部１０２は、無線制御装置１２からスケジューリング情報Ｓ１を受け取ると、図４に示すように、このスケジューリング情報Ｓ１を反映したマルチキャスト送信フレーム（ａ）に存在する空区間１，空区間２，空区間３を検索し、再送パケット選択部１０３に対し、サービスＡのパケットを３ＴＴＩ分、サービスＢのパケットを２ＴＴＩ分、サービスＣのパケットを２ＴＴＩ分追加して送信できることを通知する。
【００３４】
再送パケット選択部１０３は、空区間検索部１０２から通知された空区間を埋める分のパケットを無線制御装置１２から受け取った各サービスのパケットの中から無作為に選択し、選択したパケット番号をパケット送信部１０４に通知する。図４に示す例で言えば、サービスＡにおいては３番、４番、６番のパケットを選択し、サービスＢについては２番、３番のパケットを選択し、サービスＣについては最初から１ＴＴＩ分のデータのみが存在しているので１番のパケットを２回繰り返すように選択し、それぞれをパケット送信部１０４に通知する。
【００３５】
パケット送信部１０４は、前記スケジューリング情報Ｓ１に基づき、図４に示すように、時刻Ｔ＝１８からサービスＡに関するパケットを６ＴＴＩ分順に配置し、続いて、３番、４番、６番の各パケットを配置することで空区間１を埋める。同様に、サービスＢについては、時刻Ｔ＝２７から３ＴＴＩ分のパケットを配置し、続いて２番、３番、の各パケットを配置することで空区間２を埋める。同様に、サービスＣについては、Ｔ＝３２で１ＴＴＩ分のパケットを配置し終わると、続けて１番のパケットを２度連続して配置を行い、空区間３を埋める。このように、１７ＴＴＩの区間が全てパケットで埋め尽くされたマルチキャスト送信フレーム（ｂ）が物理チャネル上に送出される。
【００３６】
一方、移動局装置１３では、各サービスの開始タイミングとその長さ（ＴＴＩ数）をスケジューリング情報パケットから知ることができるので、どのサービスがどれだけの長さの分だけ再送されてくるかを、パケット送信装置が改めて通知しなくとも、移動局装置側で予め知ることができる。
【００３７】
したがって、図４に示すように、スケジューリング情報から物理チャネル上に送出されるマルチキャスト送信フレームにおいてどのサービスと、どのサービスの間にどれだけの長さの空区間が存するかを検索し、その空区間の直前のサービスで送信されるパケットの中から再送パケットを抽出し、空区間を埋める再送を行うので、移動局装置において、１
回目のパケット送信では異周波のレベル測定のタイミングと重なったために受信できなかったパケットが再送された場合には、補完することができることになり、移動局装置のスループットを改善することができる。
【００３８】
次に、図５は、図３に示すパケット送信装置が実施するパケットの送信方法を説明する図（その２）である。図５は、図４に対して、マルチキャスト送信フレーム（ｂ）の再送パケットの選択方法が異なる。即ち、図４では、再送パケット選択部１０３は再送するパケットを無作為に抽出するとしたが、図５では、再送パケット選択部１０３は、空区間検索部１０２から通知されたＴＴＩ分のパケットを常に再送するサービスの先頭から順に選択する。
【００３９】
その結果、図５に示すように、パケット送信部１０４は、前記スケジューリング情報Ｓ１に基づき、時刻Ｔ＝１８からサービスＡに関するパケットを６ＴＴＩ分順に送信し、続いて、１番、２番、３番の各パケットを再送することで空区間１を埋める。同様に、サービスＢについては、時刻Ｔ＝２７から３ＴＴＩ分のパケットを送信し、続いて１番、２番、の各パケットを再送することで空区間２を埋める。同様に、サービスＣについては、Ｔ＝３２で１ＴＴＩ分のパケットを送信し終わると、続けて１番のパケットを２度連続して再送を行い、空区間３を埋めることになる。このように、１７ＴＴＩの区間が全てパケットで埋め尽くされたマルチキャスト送信フレーム（ｂ）が物理チャネル上に送出される。
【００４０】
このように、先頭から順に再送を行う方法によれば、例えば、サービスＡを受信している移動局装置が異周波のレベル測定によって、Ａ１、Ａ２、Ａ３のいずれかのパケットが欠落した場合には、再送されたパケットにて欠落したパケットを補完することができる一方、既にＡ１，Ａ２，Ａ３のパケットを誤り無く受信し終わっている移動局装置では、再送されてくるパケットを受信しなくても良いと判断することが可能となるので、消費電力を削減することができる。
【００４１】
また、パケット送信装置から改めて通知することなく、移動局装置において、Ａ１、Ａ２、Ａ３が再送されることが予め分かるので、一回目に送信されたＡ１からＡ３までのパケットを移動局装置内に保持しておき、再送されたパケットと合成した後に復調、或いは復号を行うことも可能となるためパケット誤り率の低減が可能となる。
【００４２】
（実施の形態２）
図６は、本発明の実施の形態２に係るパケット送信装置及び無線制御装置の構成を示すブロック図である。なお、図６では、図３に示した構成要素と同一ないしは同等である構成要素には同一の符号が付されている。ここでは、本実施の形態２に関わる部分を中心に説明する。
【００４３】
図６に示すように、本実施の形態２では、図３（実施の形態１）と比較して、パケット送信装置１０１に代えてパケット送信装置４０１が設けられ、また無線制御装置１２に代えて無線制御装置４０２が設けられている。
【００４４】
パケット送信装置４０１では、図３（実施の形態１）に示した構成において、再送パケット選択部１０３に代えて、再送パケット選択部４０３が設けられている。また、無線制御装置４０２では、受信不可移動局装置数カウント部４０４が追加されている。
【００４５】
受信不可移動局装置数カウント部４０４は、パケット送信装置４０１毎にＭＢＭＳのサービスを受信する各移動局装置のパケット受信タイミングと異周波のレベル測定実行（measurement occasion）のタイミングとが重なっているか否かを判断し、パケット毎に、重なった移動局装置数をカウントし、そのカウントしたパケット単位受信不可移動局装置数
を再送パケット選択部４０３に与える。
【００４６】
再送パケット選択部４０３は、受信不可移動局装置数カウント部４０４からパケット単位受信不可移動局装置数を受け取ると、空区間検索部１０２から通知された空区間を埋める分のパケットを無線制御装置４０２から受け取った各サービスのパケットの中から受信不可移動局装置数が最も多いパケットを選択する。
【００４７】
以下、図６〜図８を参照して、本実施の形態２に係るパケット送信装置の動作について説明する。まず、図７は、図６に示す無線制御装置が実施する移動局装置のカウント方法を説明する図である。
【００４８】
図７では、１つのパケット送信装置において、サービスＡを受ける移動局装置がＮ個、サービスＢを受ける移動局装置がＭ個、サービスＣを受けている移動局装置がＪ個存在することが示されている。
【００４９】
受信不可移動局装置数カウント部４０４は、始めにサービスＡを受信するＮ個の移動局装置各々について、異周波のレベル測定実行（measurement occasion）の場所を求め、サービスＡのパケット送信区間と重なる移動局装置が何個存在するかをカウントする。図７に示す例では、Ａ１のパケット送信区間と異周波のレベル測定実行場所とが重なる移動局装置が５個、Ａ２と重なる移動局装置が１５個、Ａ３が３個、Ａ４が８個、Ａ５が２個、Ａ６が９個存在したことが示されている。
【００５０】
同様に、図７では、サービスＢについては、Ｂ１と重なる移動局装置の数が９個、Ｂ２が１個、Ｂ３が１４個存在し、サービスＣについては、Ｃ１と重なる移動局装置の数が９個存在していることが示されている。これらの結果が再送パケット選択部４０３に通知される。
【００５１】
次に、図８は、図６に示すパケット送信装置が実施するパケットの送信方法を説明する図である。図８では、再送パケット選択部４０３に、実施の形態１にて説明したサービス毎の再送可能ＴＴＩ数（空区間１，２，３）が空区間検索部１０２から通知されるのに加えて、受信不可移動局装置数カウント部４０４からパケット毎の受信不可移動局装置数が通知されることが示されている。
【００５２】
再送パケット選択部４０３では、空区間検索部１０２から通知されたサービス毎の再送可能ＴＴＩ数と、受信不可移動局装置数カウント部４０４から通知された結果とを元に、各サービスにおいて最も受け取れなかったと想定される移動局装置の数が多かったパケットを再送用パケットとして選択する。
【００５３】
即ち、図８において、再送パケット選択部４０３は、サービスＡについては、３ＴＴＩ分の空区間が存在することから、Ａ２番，Ａ４番，Ａ６番を再送パケットとして選択し、パケット送信部１０４に通知する。同様に、サービスＢについては、２ＴＴＩ分の空区間が存在するので、Ｂ１番とＢ３番を選択してパケット送信部１０４に通知する。サービスＣについては、元々１つであるので、実施の形態１と同様となる。
【００５４】
パケット送信部１０４が送信する再送パケットの順番は、任意であり、受信不可移動局装置数が多い順番である必要はないが、図８では、受信不可移動局装置数の多い順にパケットを送信することとして示してある。
【００５５】
即ち、パケット送信部１０４は、図８に示すように、サービスＡについては、Ａ２番、Ａ６番，Ａ４番の順に再送し、サービスＢについては、Ｂ３番、Ｂ１番の順に再送する。
このように、１７ＴＴＩの区間が全てパケットで埋め尽くされたマルチキャスト送信フレーム（ｂ）が物理チャネル上に送出される。
【００５６】
このように、本実施の形態２によれば、無線制御装置にてパケット送信装置毎に、ＭＢＭＳのサービスを受けている移動局装置各々の異周波レベル測定実行のタイミングがＭＢＭＳの受信パケットと重なっているか否かを判断し、各ＭＢＭＳパケットについて、どれだけの移動局装置が受信することが不可能であったかをパケット送信装置に通知するようにしたので、パケット送信装置においては、空区間において、通知されたカウント数が多かったパケットから優先して再送を実行することができる。したがって、異周波のレベル測定によって受信できなかった移動局装置をより多く救うことが可能となる。
【００５７】
本明細書は、２００５年１月１９日出願の特願２００５−０１１９６４に基づく。この内容は全てここに含めておく。
【産業上の利用可能性】
【００５８】
本発明は、移動局装置において異周波のレベル測定のために受信することができなかったＭＢＭＳサービスのパケットを現行のスケジューリング情報を用いて受信可能とするパケット送信装置及びパケット送信として有用である。
【図面の簡単な説明】
【００５９】
【図１】従来のパケット送信装置の構成例を示す図
【図２】従来のパケット送信方法を説明する図
【図３】本発明の実施の形態１に係るパケット送信装置の構成を示すブロック図
【図４】図３に示すパケット送信装置が実施するパケットの送信方法を説明する図
【図５】図３に示すパケット送信装置が実施するパケットの送信方法を説明する図
【図６】本発明の実施の形態２に係るパケット送信装置及び無線制御装置の構成を示すブロック図
【図７】図６に示す無線制御装置が実施する移動局装置のカウント方法を説明する図
【図８】図６に示すパケット送信装置が実施するパケットの送信方法を説明する図
【手続補正３】
【補正対象書類名】図面
【補正対象項目名】全図
【補正方法】変更
【補正の内容】
【図１】
2006077792.tif 000010
【図２】
2006077792.tif 000011
【図３】
2006077792.tif 000012
【図４】
2006077792.tif 000013
【図５】
2006077792.tif 000014
【図６】
2006077792.tif 000015
【図７】
2006077792.tif 000016
【図８】
2006077792.tif 000017
【国際調査報告】
2006077792.tif 000018
2006077792.tif 000019
2006077792.tif 000020